【手続補正書】
【提出日】平成19年7月27日(2007.7.27)
【手続補正１】
【補正対象書類名】特許請求の範囲
【補正対象項目名】請求項１０
【補正方法】変更
【補正の内容】
【請求項１０】
前記モノマー／オリゴマー成分が、オキセタンモノマー、式：
【化１】
2007501312.tif 000001
で表されるオキシランモノマー、式：
【化２】
2007501312.tif 000002
で表されるオキセタンオリゴマー、式：
【化３】
2007501312.tif 000003
で表されるオキセタン及びオキシランオリゴマー、並びに前記オキセタン及びオキシランのモノマー及びオリゴマーの混合物から選択され、前記各式において、
Ｒ１は、水素原子、オキサアルキル基、又はＣ１〜Ｃ２０の炭化水素基であり、
Ｒ２は、フェニル基、ペルフルオロアルキル基、及び−ＣＨ２−Ｒ３から選択され、
Ｒ３は、Ｃ２〜Ｃ２０の炭化水素基、オキサアルキル基、ヘテロアルキル基、Ｃ２〜Ｃ２０のアルキルシロキサン基、及び
【化４】
2007501312.tif 000004
から選択され、
Ｒ４は、水素原子又はメチル基であり、
Ａは、Ｃ２〜Ｃ２０の炭化水素基、オキサアルキル基、及びＣ２〜Ｃ２０のアルキルシロキサン基から選択され、
Ｅは、−ＣＨ２−Ｏ−、−Ｏ−ＣＨ２−、又はＣＨ２−Ｏ−ＣＨ２−であり、
ｑは、０又は１であり、
ｎは、オリゴマーの粘度が５００，０００センチポアズ未満とする数である、
請求項１〜９のいずれか一項に記載の方法。
【手続補正２】
【補正対象書類名】特許請求の範囲
【補正対象項目名】請求項１１
【補正方法】変更
【補正の内容】
【請求項１１】
前記モノマー／オリゴマー成分が、
【化５】
2007501312.tif 000005
（ここで、Ｒ１は、水素原子、オキサアルキル基、又はＣ１〜Ｃ２０の炭化水素基である）
から選択されるオキセタンを含む、請求項１０に記載の方法。
【手続補正３】
【補正対象書類名】特許請求の範囲
【補正対象項目名】請求項１２
【補正方法】変更
【補正の内容】
【請求項１２】
前記モノマー／オリゴマー成分が、
【化６】
2007501312.tif 000006
（ここで、Ｒ１は、水素原子、オキサアルキル基、又はＣ１〜Ｃ２０の炭化水素基であり、ｎは、５〜１００の整数である）
から選択されるオキセタンオリゴマーを含む、請求項１０に記載の方法。
【手続補正４】
【補正対象書類名】特許請求の範囲
【補正対象項目名】請求項１３
【補正方法】変更
【補正の内容】
【請求項１３】
前記モノマー／オリゴマー成分が、式：
【化７】
2007501312.tif 000007
（式中、Ｒ１は、オキサアルキル基、又はＣ１〜Ｃ２０の炭化水素基であり、
Ｒ２は、フェニル基、ペルフルオロアルキル基、又は−ＣＨ２−Ｒ３から選択され、
Ｒ３は、Ｃ２〜Ｃ２０の炭化水素基、ヘテロアリール基、オキサアルキル基、Ｃ２〜Ｃ２０のアルキルシロキサン基、及び
【化８】
2007501312.tif 000008
から選択され、
Ａは、Ｃ２〜Ｃ２０の炭化水素基、オキサアルキル基、及びＣ２〜Ｃ２０のアルキルシロキサン基から選択される）
で表されるオキセタンを含む、請求項１０に記載の方法。
【手続補正５】
【補正対象書類名】特許請求の範囲
【補正対象項目名】請求項１４
【補正方法】変更
【補正の内容】
【請求項１４】
前記オキセタンが、
【化９】
2007501312.tif 000009
【化１０】
2007501312.tif 000010
からなる群から選択される、請求項１３に記載の方法。
【手続補正６】
【補正対象書類名】特許請求の範囲
【補正対象項目名】請求項１５
【補正方法】変更
【補正の内容】
【請求項１５】
前記オキセタンが、
【化１１】
2007501312.tif 000011
（ここで、Ｒ１は低級アルキル基である）
からなる群から選択される、請求項１４に記載の方法。
【手続補正７】
【補正対象書類名】特許請求の範囲
【補正対象項目名】請求項１６
【補正方法】変更
【補正の内容】
【請求項１６】
前記オキシランが、
【化１２】
2007501312.tif 000012
から選択される、請求項１〜９のいずれか一項に記載の方法。
【手続補正８】
【補正対象書類名】明細書
【補正対象項目名】００４２
【補正方法】変更
【補正の内容】
【００４２】
モノマー／オリゴマー成分は、オキセタンモノマー、式：
【化１】
2007501312.tif 000013
で表されるオキシランモノマー、式：
【化２】
2007501312.tif 000014
で表されるオキセタンオリゴマー、式：
【化３】
2007501312.tif 000015
で表されるオキセタン及びオキシランオリゴマー、並びに前記オキセタン及びオキシランのモノマー及びオリゴマーの混合物から選択され、前記各式において、
Ｒ１は、水素原子、オキサアルキル基、又はＣ１〜Ｃ２０の炭化水素基であり、
Ｒ２は、フェニル基、ペルフルオロアルキル基、及び−ＣＨ２−Ｒ３から選択され、
Ｒ３は、Ｃ２〜Ｃ２０の炭化水素基、オキサアルキル基、ヘテロアルキル基、Ｃ２〜Ｃ２０のアルキルシロキサン基、及び
【化４】
2007501312.tif 000016
から選択され、
Ｒ４は、水素原子又はメチル基であり、
Ａは、Ｃ２〜Ｃ２０の炭化水素基、オキサアルキル基、及びＣ２〜Ｃ２０のアルキルシロキサン基から選択され、
Ｅは、−ＣＨ２−Ｏ−、−Ｏ−ＣＨ２−、又はＣＨ２−Ｏ−ＣＨ２−であり、
ｑは、０又は１であり、
ｎは、オリゴマーの粘度が５００，０００センチポアズ未満とする数である。
【手続補正９】
【補正対象書類名】明細書
【補正対象項目名】００４４
【補正方法】変更
【補正の内容】
【００４４】
もう１つの実施態様において、モノマー／オリゴマー成分は、
【化５】
2007501312.tif 000017
（ここで、Ｒ１は、水素原子、オキサアルキル基、又はＣ１〜Ｃ２０の炭化水素基である）
から選択されるオキセタンを含む。
【手続補正１０】
【補正対象書類名】明細書
【補正対象項目名】００４５
【補正方法】変更
【補正の内容】
【００４５】
もう１つの実施態様において、モノマー／オリゴマー成分は、
【化６】
2007501312.tif 000018
（ここで、Ｒ１は、水素原子、オキサアルキル基、又はＣ１〜Ｃ２０の炭化水素基であり、ｎは、５〜１００の整数である）
から選択されるオキセタンオリゴマーを含む。
【手続補正１１】
【補正対象書類名】明細書
【補正対象項目名】００４６
【補正方法】変更
【補正の内容】
【００４６】
もう１つの実施態様において、モノマー／オリゴマー成分は、式：
【化７】
2007501312.tif 000019
（式中、Ｒ１は、オキサアルキル基、又はＣ１〜Ｃ２０の炭化水素基であり、
Ｒ２は、フェニル基、ペルフルオロアルキル基、又は−ＣＨ２−Ｒ３から選択され、
Ｒ３は、Ｃ２〜Ｃ２０の炭化水素基、ヘテロアリール基、オキサアルキル基、Ｃ２〜Ｃ２０のアルキルシロキサン基、及び
【化８】
2007501312.tif 000020
から選択され、
Ａは、Ｃ２〜Ｃ２０の炭化水素基、オキサアルキル基、及びＣ２〜Ｃ２０のアルキルシロキサン基から選択される）
で表されるオキセタンを含む。
好ましいオキセタンは、
【化９】
2007501312.tif 000021
【化１０】
2007501312.tif 000022
からなる群から選択される。
【手続補正１２】
【補正対象書類名】明細書
【補正対象項目名】００４７
【補正方法】変更
【補正の内容】
【００４７】
もう１つの好ましい実施態様において、オキセタンは、
【化１１】
2007501312.tif 000023
（ここで、Ｒ１は低級アルキル基である）
からなる群から選択される。
【手続補正１３】
【補正対象書類名】明細書
【補正対象項目名】００４８
【補正方法】変更
【補正の内容】
【００４８】
もう１つの実施態様において、モノマー／オリゴマーは、
【化１２】
2007501312.tif 000024
から選択されるオキシランである。